(57)【要約】【課題】  入れ替え作業を行うことなく液晶ディスプレイを後付け可能な遊技台用台間機を提案すること。【解決手段】  遊技台用台間機１は、台間機本体３と、その前面から前方に突出した状態で取り付けられている液晶ディスプレイ４とを有している。台間機本体３は台間機ホルダ５とここに前方から差し込まれている台間機本体ユニット６から構成され、台間機本体ユニット６の内部にはディスプレイ装着部８が配置されている。ディスプレイ装着部８に対峙している前面パネル６ｂには開口部１１が形成され、これが目隠し板１２で封鎖されている。液晶ディスプレイ４の側面には装着用突出部４１が形成されており、これを後付けする場合には目隠し板１２を外し、装着用突出部４１を、開口部１１を介してディスプレイ装着部８に取り外し可能な状態で装着すればよい。【選択図】  図２
2005095303.tif 000002
【特許請求の範囲】
【請求項１】
遊技台で使用する遊技媒体の貸し出し処理を行うために前記遊技台に隣接配置されている遊技台用台間機において、
台間機本体と、
前記台間機本体に形成したディスプレイ装着部と、
前記ディスプレイ装着部に取り外し可能な状態で装着されているパネルディスプレイとを有している遊技台用台間機。
【請求項２】
請求項１において、
前記台間機本体の内部に配置された前記ディスプレイ装着部と、
前記ディスプレイ装着部に対峙している前記台間機本体の前面に形成した開口部と、
前記開口部を封鎖するために当該開口部に取り外し可能に取り付けた目隠し板と、
前記パネルディスプレイの側面から突出している装着用突出部とを有し、
前記装着用突出部は、前記台間機本体の前方から前記開口部を介して前記ディスプレイ装着部に取り外し可能な状態で装着されている遊技台用台間機。
【請求項３】
請求項２において、
前記ディスプレイ装着部に装着された前記ディスプレイは、前記突出部を中心として所定方向に所定角度だけ回動可能である遊技台用台間機。
【請求項４】
請求項１ないし３のうちのいずれかの項に記載の遊技台用台間機の台間機本体。
【発明の詳細な説明】
【技術分野】
【０００１】
本発明は隣接配置されている遊技台に対して遊技媒体の貸し出し処理を行う遊技台用台間機に関し、さらに詳しくは、遊技台情報、テレビ番組などを表示可能なパネルディスプレイが取り付けられた遊技台用台間機に関するものである。
【背景技術】
【０００２】
パチンコ店などの遊技店では、遊技台を離れることなく遊技者がパチンコ玉などの遊技媒体の貸し出しを受けることができるように、遊技媒体の貸し出し処理を行う台間機が各遊技台に隣接配置されている。一般には、遊技台と台間機が交互に配列された構成の遊技島が遊技店内に多数列配置される。
【０００３】
このような遊技台用台間機には、対応する遊技台の情報などを表示するための表示部が備わっている。例えば、下記の特許文献１には、ＣＲ機用であるのか現金機用であるのかを表示するための表示器が備わった台間機が開示されている。ここで、台間機は遊技台の間の狭いスペースに配置されるので横幅が４０ｍｍ程度と狭い。したがって、その前面に配置されている表示器の画面サイズもおのずと制限があり、動画などを表示するには適していない。そこで、近年においては、前面から前方に突出した状態に液晶ディスプレイが取り付けられた台間機が用いられ、遊技者は側方に位置している液晶ディスプレイでテレビ番組など見ながら遊技を楽しむことができる。
【特許文献１】特開２００１−３５３３３８号公報
【発明の開示】
【発明が解決しようとする課題】
【０００４】
しかしながら、液晶ディスプレイ付きの台間機は一般に使用されている台間機に比べて高価であるので、遊技店によっては開店当初は予算の関係で設置できず、後になって設置を希望する場合がある。また、液晶ディスプレイ付きの台間機を設置した後に液晶ディスプレイが不要になり、通常の台間機に代える必要性が発生する場合もある。いずれの場合においても、台間機を、液晶ディスプレイ付きのもの、あるいはそれが付いていない一般的なものに入れ替える作業が必要になり、費用および時間が掛かるという問題点がある。
【０００５】
本発明の課題は、このような弊害を解消できる遊技台用台間機を提案することにある。
【課題を解決するための手段】
【０００６】
上記の課題を解決するために、本発明は、遊技台で使用する遊技媒体の貸し出し処理を行うために前記遊技台に隣接配置されている遊技台用台間機において、
台間機本体と、
前記台間機本体に形成したディスプレイ装着部と、
前記ディスプレイ装着部に取り外し可能な状態で装着されているパネルディスプレイとを有していることを特徴としている。
【０００７】
本発明の遊技台用台間機では、必要に応じて液晶ディスプレイやプラズマディスプレイパネルなどのパネルディスプレイを着脱できる。従って、当初は台間機本体のみを設置しておき、パネルディスプレイを後付けすることができ、逆に、必要に応じてパネルディスプレイを取り外すこともできるので極めて便利である。
【０００８】
パネルディスプレイが取り外されている場合における台間機本体前面のデザイン性を確保するためには、前記台間機本体の内部に前記ディスプレイ装着部を配置し、前記ディスプレイ装着部に対峙している前記台間機本体の前面に開口部を形成し、前記開口部目隠し板により封鎖し、当該目隠し板を取り外し可能にしておけばよい。この場合、前記パネルディスプレイには、その側面から突出している装着用突出部を形成しておき、当該装着用突出部を、前記台間機本体の前方から前記開口部を介して前記ディスプレイ装着部に取り外し可能な状態で装着できるようにすればよい。
【０００９】
また、遊技者がパネルディスプレイの画面を見易い角度に変更できるようにするためには、前記ディスプレイ装着部に装着された前記パネルディスプレイを、前記突出部を中心として所定方向に所定角度だけ回動可能にしておけばよい。
【発明の効果】
【００１０】
以上説明したように、本発明の遊技台用台間機では、台間機本体に液晶ディスプレイなどのパネルディスプレイを取り外し可能な状態で装着できるディスプレイ装着部を形成してある。従って、必要に応じてパネルディスプレイの後付け、取り外しを行うことができるので、従来のように台間機自体を入れ替える必要がなくなる。
【発明を実施するための最良の形態】
【００１１】
以下に、図面を参照して本発明を適用した遊技台用台間機の例を説明する。
【００１２】
図１は遊技台用台間機を示す斜視図および部分断面図であり、図２は液晶ディスプレイを取り外した状態での斜視図および部分断面図である。遊技台用台間機１は、想像線で示すパチンコ台などの遊技台２の左側に配置されている。一般には、遊技台２と遊技台用台間機１の組を複数配列することにより構成した遊技島が遊技店内に複数列配置される。遊技台用台間機１は、台間機本体３と、台間機本体３の前面から前方に突出した状態で当該台間機本体３の前面に装着されている液晶ディスプレイ４とを有している。台間機本体３は、遊技島枠（図示せず）に取り付けた台間機ホルダ５と、台間機ホルダ５に前側から装着されている台間機本体ユニット６から構成されている。
【００１３】
台間機ホルダ５は、上下方向に延びる背面枠５ａと、その上端から前方に水平に延びている上側水平枠５ｂと、背面枠５ａの下端から前方に水平に延びている下側水平枠５ｃとを備えている。台間機本体ユニット６は縦長の扁平な直方体形状をしたユニットケース６ａとその前面に取り付けられている前面パネル６ｂとを備え、ユニットケース６ａの内部には、たとえば、カードリーダ・ライタ６ｃ、カードストッカ６ｄ、制御装置６ｅ、紙幣識別・処理装置６ｆなどの各部分が配置されている。カードリーダ・ライタ６ｃに対応する前面パネル６ｂの部位にはカード挿入口６ｇが形成されており、紙幣識別・処理装置６ｆに対応する前面パネル６ｂの部位には紙幣挿入口６ｈが形成されており、制御装置６ｅに対応する前面パネル６ｂの部位には表示部および操作キーが配列された操作面６ｉが配置されている。また、前面パネル６ｂには上下一対の指掛け部６ｊ、６ｋが形成されており、これらを利用して台間機本体ユニット６を前方に引き出す操作ができるようになっている。
【００１４】
ここで、台間機本体ユニット６の内部において、制御装置６ｅとカードリーダ・ライタ６ｃの間に所定の高さの隙間７が形成されており、ここに、ディスプレイ装着部８が配置されている。ディスプレイ装着部８は、前後方向に平行に架け渡した上下の水平支持枠８１、８２と、これら水平支持枠８１、８２の前端に前向きに取り付けられているコネクタ８３とを備えている。コネクタ８３の背面側からは映像信号、音声信号および制御信号用の配線群８４が引き出されて、背面枠５ａに取り付けた後側コネクタ８５に接続されている。この後側コネクタ８５は、例えば、背面枠５ａの背面に取り付けた中継器９を経由して、制御装置６ｅを介して、遊技店の管理コンピュータ（図示せず）の側に接続されている。
【００１５】
一方、コネクタ８３が対峙している前面パネル６ｂの部位には開口部１１が形成されており、この開口部１１を封鎖するための目隠し板１２は、固定ねじ１３によって取り外し可能な状態で前面パネル６ｂに取り付け可能となっている。
【００１６】
液晶ディスプレイ４のケース側面には、水平に突出した装着用突出部４１が形成されている。装着用突出部４１は、開口部１１を介して、ディスプレイ装着部８のコネクタ８３に対して取り外し可能な状態で装着可能である。本例では、装着用突出部４１は、装着状態において、その中心軸線４１ａを中心として前後方向に所定の角度範囲に亘って回動可能である。この結果、図１において想像線で示すように表示画面４２の角度を変えることができるので、側方の遊技者にとって見易い角度に表示画面４２の角度を調節できる。また、装着用突出部４１の内部に配置されているコネクタがディスプレイ装着部８の側に接続されて、映像信号、音声信号および制御信号が液晶ディスプレイ４に供給され、その表示画面４２に表示される。なお、表示情報としては、遊技台情報やテレビ番組の他に、各種商品の広告、催し物情報などがある。
【００１７】
液晶ディスプレイ４が不要の場合には、図２に示すように、液晶ディスプレイ４が台間機本体ユニット６のディスプレイ装着部８から外される。液晶ディスプレイ８を取り外すことにより露出した前面パネル６ｂの開口部１１は、固定ねじ１３によって前面パネル６ｂに取り付けた目隠し板１２によって封鎖される。したがって、台間機１の前面の見栄えが悪くなることがない。
【００１８】
なお、液晶ディスプレイ４の代わりにプラズマディスプレイパネルなど、他の形式のパネルディスプレイを用いても良いことは勿論である。
【図面の簡単な説明】
【００１９】
【図１】本発明を適用した遊技台用台間機を示す図であり、（ａ）は液晶ディスプレイが装着されている状態を示す斜視図であり、（ｂ）はその部分断面図である。
【図２】（ａ）および（ｂ）は、図１の遊技台用台間機において液晶ディスプレイを取り外した状態を示す斜視図および部分断面図である。
【符号の説明】
【００２０】
１    遊技台用台間機
２    遊技台
３    台間機本体
４    液晶ディスプレイ
４１  装着用突出部
４２  表示画面
５    台間機ホルダ
６    台間機本体ユニット
７    隙間
８    ディスプレイ装着部
８１、８２  水平支持枠
８３  コネクタ
８４  配線群
１１  開口部
１２  目隠し板
１３  固定ねじ
【図１】
2005095303.tif 000003
【図２】
2005095303.tif 000004